(57)【特許請求の範囲】
【請求項１】
低温水源及び高温水源からそれぞれ供給された低温水及び高温水を混合する混合バルブと、該混合バルブから送られる混合湯水を複数の給水路へ選択的に給水の切り換えを行なう切換バルブと、を有し、上記混合バルブ及び切換バルブをほぼ同一軸上に配置した水栓本体と、
この水栓本体の軸方向のほぼ中央部に配置し上記給水路からの混合湯水を吐水する吐水口と、
上記水栓本体の軸上の一端部に配置され、上記混合バルブを駆動する温度設定操作ハンドルと、
上記水栓本体の軸上の他端部で駆動自在に支持されるとともに上記切換バルブに連結されたハンドル本体部と、該水栓本体の一端部側で駆動可能に支持されたハンドル支持部と、上記ハンドル本体部とハンドル支持部とを連結するアーチ部とを有する切換操作ハンドルと、
を備えたことを特徴とする水栓装置。
【請求項２】
請求項１において、
上記切換操作ハンドルは、上記切換バルブの複数の給水路への給水及び止水を行なえるように構成した水栓装置。
【請求項３】
請求項２において、
上記複数の給水路は、シャワーに連通するシャワー側給水路及びカランに連通するカラン側給水路であり、
上記切換操作ハンドルは、アーチ部がほぼ水平位置から上方に向けて回動する角度の範囲にあるときに混合湯水を上記シャワー側給水路に供給するシャワー側吐水角度に設定し、一方、アーチ部が水平位置から下方に向けて回動する角度の範囲にあるときに混合湯水を上記カラン側給水路に供給するカラン側吐水角度に設定した水栓装置。
【請求項４】
請求項３において、
上記切換操作ハンドルは、上記シャワー側吐水角度とカラン側吐水角度との間でありかつ上記アーチ部が水平位置から約４５゜の範囲に止水範囲を設定した水栓装置。
【請求項５】
請求項３または請求項４において、
上記カラン側吐水角度は、上記シャワー側吐水角度より小さく設定した水栓装置。
【請求項６】
請求項４において、
上記アーチ部は、水平方向に水平な面を有している水栓装置。
【請求項７】
請求項４において、
上記ハンドル支持部は、上記止水範囲にて上記バルブ軸の回動抵抗力を増加して節度感を与えるクリック手段を設けた水栓装置。
【請求項８】
水平方向に配置されたバルブ軸を有し、該バルブ軸を回動することにより給水源に接続された流路を開閉する開閉バルブを有する水栓本体と、
使用者による操作力を上記開閉バルブのバルブ軸の回転駆動力として伝達する操作ハンドルを備え、
上記操作ハンドルは、上記水栓本体の一端部に回動可能に支持されかつ上記バルブ軸に連結されたハンドル本体部と、該水栓本体の他端部で回動可能に支持されたハンドル支持部と、上記ハンドル本体部とハンドル支持部とを連結するとともに、上記水栓本体の前方かつ水平方向に配設されたアーチ部とを備え、上記アーチ部の上下方向の押圧操作により上記バルブ軸を回動するように構成したことを特徴とする水栓装置。
【請求項９】
請求項８において、
上記ハンドル本体部及びハンドル支持部は、上記バルブ軸の回転角度を上記水栓本体との間で規制するストッパをそれぞれ設けた水栓装置。
【請求項１０】
請求項８において、
上記ハンドル本体部及びハンドル支持部は、上記バルブ軸の所定角度で、該回動抵抗力を増加して節度感を与えるクリック手段を設けた水栓装置。
【請求項１１】
請求項８において、
上記ハンドル本体部、ハンドル支持部及びアーチ部は、一体に形成された水栓装置。
【請求項１２】
請求項１１において、
上記ハンドル本体部とバルブ軸との間に介在しハンドル本体部の回動力を該バルブ軸に伝達する連結部材を備え、
該連結部材は、上記ハンドル本体部とバルブ軸との間に介在する状態から外したときに上記操作ハンドルを水栓本体から、上記軸方向と直角方向へ着脱可能になるように構成した水栓装置。
【請求項１３】
請求項８において、
上記操作ハンドルは、ハンドル本体部、ハンドル支持部またはアーチ部のいずれかの部分で分割可能に形成した水栓装置。
【請求項１４】
請求項１３において、
上記アーチ部の少なくとも一部は、ハンドル本体部またはハンドル支持部と一体に形成されている水栓装置。
【請求項１５】
請求項１３において、
上記アーチ部は、上記ハンドル本体部側で連結・非連結可能である連結部を有するとともに、上記ハンドル支持部と一体に形成した水栓装置。
【請求項１６】
請求項１３において、
上記アーチ部は、上記ハンドル支持部側で連結・非連結可能である連結部を有するとともに、上記ハンドル本体部と一体に形成した水栓装置。
【請求項１７】
請求項１５または請求項１６において、
上記アーチ部は、バルブ軸とほぼ平行に配置されるようにハンドル本体部とハンドル支持部とによりコ字形に構成した水栓装置。
【請求項１８】
請求項１５または請求項１６において、
上記連結部は、締結部材により締結されている水栓装置。
【請求項１９】
請求項１８において、
上記締結部材は、アーチ部を手で操作する方向または該アーチ部の下方から締結可能に設けた水栓装置。
【請求項２０】
請求項１３において、
上記アーチ部は、軸方向に積層されるように分割して形成された水栓装置。
【請求項２１】
請求項２０において、
上記アーチ部は、軸方向かつ水平に分割されたアーチ下部と、該アーチ下部に積層されたアーチ上部とを備えた水栓装置。
【請求項２２】
請求項１３において、
上記アーチ部の一端部は、上記ハンドル本体部と連結・非連結可能な第１連結部を介して該ハンドル本体部に接続され、上記アーチ部の他端部は、上記ハンドル支持部と連結・非連結可能な第２連結部を介して該ハンドル支持部に接続されている水栓装置。
【請求項２３】
請求項２２において、
上記第１連結部は、上記第２連結部より上記バルブ軸の軸線に対する距離を小さくなるように設けた水栓装置。
【請求項２４】
請求項２２または請求項２３において、
第１及び第２連結部は、アーチ部を上記軸線方向に対して垂直方向に着脱可能に設けた水栓装置。
【請求項２５】
請求項２２において、
上記第１及び第２連結部は、アーチ部とハンドル本体部またはハンドル支持部との間に介在する締結部材により締結され、該締結部材は、上記アーチ部を手で操作する方向または該アーチ部の下方から締結可能に設けた水栓装置。
【請求項２６】
請求項８ないし請求項２５のいずれかにおいて、
上記水栓本体は、高温水と低温水とを混合した混合湯水を開閉バルブに送る混合バルブを備えている水栓装置。
【請求項２７】
請求項２６において、
上記水栓本体の他端部とともに上記ハンドル支持部を挟む位置に上記混合バルブの混合比を調節する温度設定操作ハンドルを配置した水栓装置。
【請求項２８】
請求項２６において、
上記ハンドル本体部に近接して上記混合バルブの混合比を調節する温度設定操作ハンドルを配置するとともに、上記ハンドル本体部及び温度設定操作ハンドルを水栓本体に対して一体に軸方向へ着脱可能に設けた水栓装置。
【請求項２９】
駆動することにより給水源に接続された流路を開閉する開閉バルブを有する水栓本体と、
使用者による操作力を上記開閉バルブの駆動力として伝達する操作ハンドルとを備え、
上記操作ハンドルは、上記水栓本体の一端部に駆動可能に支持されたハンドル本体部と、該水栓本体の他端部で駆動可能に支持されたハンドル支持部と、上記ハンドル本体部とハンドル支持部とを連結するアーチ部とを備え、上記アーチ部の押圧操作により上記開閉バルブを駆動するように構成したことを特徴とする水栓装置。
【請求項３０】
使用者による操作力を、水栓本体に備えられかつ駆動することにより給水源に接続された流路を開閉する開閉バルブの駆動力として伝達する操作ハンドルであって、
上記水栓本体の一端部に駆動可能に支持されたハンドル本体部と
該水栓本体の他端部で駆動可能に支持されたハンドル支持部と、
上記ハンドル本体部とハンドル支持部とを連結するアーチ部とを備え、
上記アーチ部の押圧操作により上記開閉バルブを駆動するように構成したこと
を特徴とする操作ハンドル。
【発明の詳細な説明】
【０００１】
【発明の属する技術分野】
本発明は、水栓装置及び操作ハンドルの改良に関する。
【０００２】
【従来の技術】
従来、横長に形成され、給水した洗浄水を中央部に配設したカランから吐水する流路を有する本体と、同本体の軸上に配設され、駆動することによって前記本体の流路を開閉するバルブと、を有する水栓装置が知られている。
【０００３】
この水栓装置は、使用者による操作力をバルブの駆動力として伝達するため、通常、本体の軸上でしかも右端部（もしくは左端部）に操作ハンドルを備えたものがほとんどである。
【０００４】
【発明が解決しようとする課題】
ところで、上記水栓装置を使用するとき、使用者は、通常、身体の中心をカランに一致させるのであるが、右端部に操作ハンドルを備える場合、左の手では遠く操作しにくいため、必然的に右の手が操作のための利き手となる。（逆に、左端部に操作ハンドルを備える場合、左の手が操作のための利き手となる。）
【０００５】
そのため、利き手とされる方の手に障害がある場合、身体の中心をカランに一致させて使用することが困難になり、上記水栓装置が使い勝手の悪いものになっていた。
【０００６】
したがって、本発明の目的は、利き手とされる方の手に障害のある使用者にも配慮され、使い勝手のよい水栓装置及びその操作ハンドルを提供することにある。
【０００７】
【課題を解決するための手段およびその作用・効果】
上記課題を解決するためになされた第１の発明は、
横長に形成され、給水源から供給された水を中央部に配設したカランから吐水する流路を有する水栓本体と、
上記水栓本体の軸上に配設され、駆動することによって上記水栓本体の流路を開閉する開閉バルブと、を有する水栓装置において、
少なくとも上記カランの上方に、使用者による操作力を上記開閉バルブの駆動力として伝達するための操作ハンドルを配置したことを特徴とする。
【０００８】
第１の発明の水栓装置によれば、少なくとも上記カランの上方に、使用者による操作力を上記開閉バルブの駆動力として伝達するための操作ハンドルが配置されているため、左右のいずれの手でも操作ハンドルに対して同じような操作性が得られる。したがって、効き手とされる方の手に障害があっても効き手とされない手によって楽に操作できる。
【０００９】
また、上記水栓本体が、上記軸を中心とした円柱であり、上記操作ハンドルが、上記軸を中心として回転駆動する場合は、水栓本体と操作ハンドルとの間隔が変化することがないため、操作ハンドルの回転に伴って、操作感が変化することがなく、使い勝手がよい。
【００１０】
さらに、上記操作ハンドルを、少なくとも上記水栓本体から所定間隔離れた位置に配置した場合には、水栓本体と操作ハンドルとの間に所定面積を有する操作領域が形成することが容易であり、その操作領域を手の平全体であてて操作ハンドルを操作でき、手の握力が弱い使用者にとっても使い勝手がよい。なお、操作領域の面積は、大きければそれだけ使い易いが、あまり大きすぎると水栓装置全体として大型化し、設置体積をいたずらに増加させるだけなので、通常の使用者の手の大きさから判断しても、所定間隔を１〜８ｃｍとすれば十分である。
【００１１】
また、上記操作ハンドルを、実質的に上記水栓本体との隙間を形成しないものとする場合には、水栓本体と操作ハンドルとの間に物が詰まることが回避されるばかりでなく、水栓本体と操作ハンドルとに一体感が発生し、デザイン性が向上する。
【００１２】
また、上記水栓本体の上部に平坦面を形成し、上記操作ハンドルが、上記水栓本体の上部に形成した平坦面とともに、面一となる平坦面を備えた場合には、最も汚れが付着しやすい水栓装置の上面が平坦になるので、清掃がしやすい。しかも、操作ハンドルの平坦面に操作表示（点字等）を設けることも可能になる。
【００１３】
さらに、上記水栓本体が、洗浄水を給水するとともに、上記水栓本体を壁に装着させる給水脚を備え、同給水脚を着脱自在にカバーするカバー部を備えた場合には、カバー部によって給水脚が覆われるため、最も清掃しにくい給水脚が汚れることを回避できるとともに、カバー部を外すことによって、清掃もしやすくなる。
【００１４】
第２の発明は、
低温水源及び高温水源からそれぞれ供給された低温水及び高温水を混合する混合バルブと、該混合バルブから送られる混合湯水を複数の給水路へ選択的に給水の切り換えを行なう切換バルブと、を有し、上記混合バルブ及び切換バルブをほぼ同一軸上に配置した水栓本体と、
この水栓本体の軸方向のほぼ中央部に配置されかつ上記給水路からの混合湯水を吐水する吐水口と、
上記水栓本体の軸上の一端部に配置され、上記混合バルブを駆動する温度設定操作ハンドルと、
上記水栓本体の軸上の他端部で駆動自在に支持されるとともに上記切換バルブに連結されたハンドル本体部と、該ハンドル本体部から水栓本体の他端部に向けかつ上記吐水口より温度設定操作ハンドル側へ延設されているアーチ部とを有する切換操作ハンドルと、
を備えたことを特徴とする。
【００１５】
第２の発明にかかる水栓装置では、低温水源からの低温水と高温水源からの低温水を混合バルブで混合し、切換バルブに送る。切換バルブでは、切換操作ハンドルで選択された給水路に接続されて、たとえば、シャワーまたはカランから選択的に吐水される。切換操作ハンドルは、温度設定操作ハンドルを装着した水栓本体と反対側の端部に回動可能に支持されている。切換操作ハンドルは、切換バルブに連結されたハンドル本体部と、このハンドル本体部から延設されたアーチ部とから形成されている。アーチ部は、ハンドル本体部から水栓本体の他端部に向けかつ吐水口より温度設定操作ハンドル側へ延設されており、つまり水栓本体の前面側にわたって広い範囲で配置されているので、左右のいずれの手からの操作も容易で操作性に優れている。
【００１６】
なお、アーチ部は、吐水口より温度設定操作ハンドル側へ延設されておれば、その形状や長さなどは特に限定されないが、温度設定操作ハンドルに近接する位置まで延設することにより、左右対称の優れた意匠性を得ることができる。
【００１７】
また、切換操作ハンドルは、水栓本体の両側で回動自在に支持する構成をとることにより、つまりハンドル本体部とハンドル支持部とにより回動可能に堅固に支持する構成をとることにより、アーチ部を大型化した場合に特に有効である。
【００１８】
さらに、切換操作ハンドルは、切換バルブの複数の給水路への給水の切り換え、または止水する機能を備えた場合には、以下の構成をとることが有効である。すなわち、切換操作ハンドルのアーチ部は、水平方向に配置した場合に、その操作角度が狭くなり、特にカランの上方または下方に配置した場合に一層狭くなる。このような場合において、給水路をシャワーまたはカランに連通する通路とした場合には、シャワーの流量を調節する頻度がカラン側の流量調節より高いことから、シャワー側の操作角度を大きくすることが好ましく、これにより、適切な流量調節機能を得ることができる。
【００１９】
また、水栓装置において、アーチ部の上方への回動操作によりシャワーへの給水、下方への回動操作によりカラン側への給水を選択するように構成した場合には、その間に止水範囲を設けることが好ましく、これにより給水箇所がわかりやすく、優れた操作性を得ることができる。
【００２０】
さらに、第３の発明は、
水平方向に配置されたバルブ軸を有し、該バルブ軸を回動することにより給水源に接続された流路を開閉する開閉バルブを有する水栓本体と、
使用者による操作力を上記開閉バルブのバルブ軸の回転駆動力として伝達する操作ハンドルを備え、
上記操作ハンドルは、上記水栓本体の一端部に回動可能に支持されかつ上記バルブ軸に連結されたハンドル本体部と、該水栓本体の他端部で回動可能に支持されたハンドル支持部と、上記ハンドル本体部とハンドル支持部とを連結するとともに、上記水栓本体の前方かつ水平方向に配設されたアーチ部とを備え、上記アーチ部の上下方向の押圧操作により上記バルブ軸を回動するように構成したことを特徴とする。
【００２１】
また、第３の発明では、開閉バルブのバルブ軸を水平方向に配置し、これを操作ハンドルにより操作するものである。操作ハンドルは、水栓本体の両側でハンドル本体部及びハンドル支持部により回動自在に支持されている。この場合において、操作ハンドルの回動範囲を規制するストッパや節度感を得るためのクリック手段を、ハンドル本体部及びハンドル支持部の両方に設けることにより、アーチ部をねじるような力を回避でき、機械的強度の点から有利である。
【００２２】
さらに、操作ハンドルは、メンテナンスのために水栓本体から着脱自在に構成する必要がある。これに好適に対応するために、上記ハンドル本体部とバルブ軸との間に介在しハンドル本体部の回動力を該バルブ軸に伝達する連結部材を設け、該連結部材を上記ハンドル本体部とバルブ軸との間に介在する状態から外したときに上記操作ハンドルを水栓本体から、上記軸方向と直角方向へ着脱可能になるように構成することにより、ワンタッチで操作ハンドルを水栓本体から外すことができ、メンテナンスが容易になる。
【００２３】
また、操作ハンドルは、ハンドル本体部、ハンドル支持部及びアーチ部を一体に形成するほか、メンテナンスを容易にするために分割して構成してもよい。たとえば、操作ハンドルを分割する箇所としては、ハンドル本体部とアーチ部との間、またはハンドル支持部とアーチ部との間にネジやピンなどの締結部材を介した接続部の部分である。この場合に、ハンドル支持部とアーチ部との間で分割する構成をとった場合に、開閉バルブを駆動する力が接続部から離れているために、ハンドル本体部とアーチ部との間に接続する場合より大きなモーメントが加わらず、機械的強度の点から有利である。
【００２４】
また、操作ハンドルを分割する構成として、アーチ部を軸方向に積層するように形成してもよく、たとえば、水平方向に分割したアーチ上部とアーチ下部とをそれぞれハンドル本体部やハンドル支持部から延設するように構成してもよい。
【００２５】
第４の発明は、
使用者による操作力を、水栓本体に備えられかつ駆動することにより給水源に接続された流路を開閉する開閉バルブの駆動力として伝達する操作ハンドルであって、
上記水栓本体の一端部に駆動可能に支持されたハンドル本体部と
該水栓本体の他端部で駆動可能に支持されたハンドル支持部と、
上記ハンドル本体部とハンドル支持部とを連結するアーチ部とを備え、
上記アーチ部の押圧操作により上記開閉バルブを駆動するように構成したことを特徴とする。
【００２６】
すなわち、第４の発明は、水栓本体に取り付けられる操作ハンドルを単独で構成したものである。
【００２７】
【発明の実施の形態】
以上説明した本発明の構成・作用を一層明らかにするために、以下本発明の好適な実施例について説明する。
【００２８】
図１は第１の実施の形態に係る水栓装置１０を示す斜視図、図２は水栓装置１０を軸方向に対して直角方向に切断した断面図、図３は水栓装置１０の平面図である。この水栓装置１０は、鋳物で形成されかつ横長であり給水脚１１ａ，１１ｂを介して壁に支持された水栓本体１１と、水栓本体１１の下部に配置されたカラン１２と、水栓本体１１内に収納された混合バルブ２０及び切換バルブ３０と、混合バルブ２０を操作する温度設定操作ハンドル４０と、水栓本体１１の側部に配置され該水栓本体１１から吐出される洗浄水をカラン１２とシャワー（図示省略）とに切り換えまたは止水するための断熱材で形成された切換操作ハンドル５０と、を備えている。なお、上記給水脚１１ａ，１１ｂは、それぞれ高温水または低温水を水栓本体１１内の混合バルブ２０に送るためのものであり、断熱材で形成されたカバー部１３により覆われている。
【００２９】
次に、水栓装置１０における吐水動作について簡単に説明する。水栓装置１０では、給水脚１１ａ，１１ｂ内の通路を介してそれぞれ供給された高温水及び低温水を混合バルブ２０により混合する。このとき、混合バルブ２０は、温度設定操作ハンドル４０により設定された高温水と低温水の混合比に調節することにより温水を目標設定温度に向けてフィードバック制御する。そして、混合バルブ２０にて目標設定温度に調節された温水は、切換バルブ３０に送られる。切換バルブ３０は、切換操作ハンドル５０の回動操作により選択された吐水先、つまりカラン１２とシャワー（図示省略）のいずれかの吐水先に向けて温水を送る。
【００３０】
次に、水栓装置１０の構成及び動作を以下詳細に説明する。図４は水栓装置１０に収納された混合バルブ２０及び切換バルブ３０を示す断面図である。
【００３１】
まず、混合バルブ２０について説明する。上記混合バルブ２０は、外側ケーシング２０ａと、外側ケーシング２０ａ内に設けられた水導入通路２１ａ及び湯導入流路２１ｂと、断熱用水路２１ｅと、外側ケーシング２０ａ内に配置されたケーシング本体２１と、を備えている。
【００３２】
上記ケーシング本体２１内には、後述する弁機構等を収納する室を備えており、つまり、湯水混合室２３ａ、湯流入室２３ｂ及びスライド室２３ｃを備えている。また、ケーシング本体２１には、上記水導入通路２１ａに接続される水側ポート２１ｃ及び湯導入流路２１ｂに接続される湯側ポート２１ｄが形成されており、水側ポート２１ｃ及び湯側ポート２１ｄは、湯流入室２３ｂに連通している。さらに、湯流入室２３ｂには、可動弁体２６が摺動自在に配置されている。この可動弁体２６は、湯水混合室２３ａ内に収納された感温ばね２４によるばね力を受けると共に、バイアスばね２５によるばね力を受け、これらの力の釣合により、その位置が定まる。
【００３３】
上記感温ばね２４は、ケーシング本体２１の端部とスペーサ２７との間に架設されている。この感温ばね２４は、温度に応じてばね定数が変化する金属によって形成されており、バイアスばね２５は、温度に関してほぼ一定のばね定数を有する通常のばね材料によって形成されている。温度に応じてばね定数が変化する金属材料としては、ニッケル・チタン合金からなる形状記憶合金（ＳＭＡ）の範疇に属する合金が知られている。この種のＳＭＡは、温度に応じて弾性係数が変化し、その結果、ＳＭＡからなる感温ばね２４のばね定数が温度に応じて変化する。
【００３４】
また、図示右側には、バイアスばね２５の予荷重を調節する予荷重調節装置２８が設けられている。この予荷重調節装置２８は、混合湯水の目標設定温度を変更するものであり、温度設定操作ハンドル４０を回転することにより、スピンドル２８ａを介してライナ２８ｂが進退し、これによりバイアスばね２５の予荷重が増減する。予荷重の増減により、バイアスばね２５のばね力と感温ばね２４のばね力とが釣り合う位置まで可動弁体２６が変位して、目標設定温度が変更される。
【００３５】
次に、上記混合バルブ２０の湯水の温度調節動作について説明する。いま、給湯機からの給湯温度、水道管からの水温度または流量などの条件が定常状態にあり、混合湯水が目標設定温度で吐水しているときには、可動弁体２６は、湯水混合室２３ａ内の混合湯水により感温ばね２４に発生する力と、バイアスばね２５のばね力との釣合により位置が決定されて静止している。この状態から、給湯機からの給湯温度、水道水温または流量などの条件が外乱により変動すると、この変動に応じて湯水混合室２３ａ内の混合湯水温度が目標設定温度からずれて温度偏差を生じる。感温ばね２４は、この温度変化に応じてばね定数を変化させ、その結果、感温ばね２４のばね力が変化する。このとき、混合湯水温度が目標設定温度より高い場合には、感温ばね２４のばね力が増大し、バイアスばね２５の予荷重を増加させながら可動弁体２６を図４の右方向へ変位させるので、湯の割合が減少し、混合湯水温度が低下する。
【００３６】
一方、混合湯水温度が目標設定温度より低い場合には、感温ばね２４のばね力が減少し、バイアスばね２５の作用により可動弁体２６が図４の左方向へ変位するのを許容するので、湯の割合が増加すると同時に水の割合が減少し、混合湯水温度が上昇する。こうした感温ばね２４の作用により混合湯水温度は、目標設定温度に向かうよう調節される。
【００３７】
上記混合バルブ２０において、その目標設定温度を変更するには、予荷重調節装置２８の一部を構成する温度設定操作ハンドル４０を所定方向へ回転することにより行なう。すなわち、温度設定操作ハンドル４０を所定方向へ回転すると、スピンドル２８ａを介してライナ２８ｂが図４の左方向へ移動してバイアスばね２５が圧縮変位し、バイアスばね２５による可動弁体２６に対する予荷重が増大する。一方、温度設定操作ハンドル４０を反対方向へ回転すると、スピンドル２８ａを介して図４の右方向へ移動してバイアスばね２５が伸張変位し、バイアスばね２５による可動弁体２６に対する予荷重が減少する。
【００３８】
このようなバイアスばね２５の予荷重の増加により、可動弁体２６は、湯側ポート２１ｄの流路を広げると同時に水側ポート２１ｃの流路を狭める位置で釣合うように調節されて、湯量の増加と水の減少による湯水混合比を変更することにより、混合湯水の吐水温度を高くし、逆に、予荷重の減少により、可動弁体２６は、湯側ポート２１ｄの流路を狭めると同時に水側ポート２１ｃの流路を広げる位置で釣合うように調節されて、混合湯水の吐水温度を低くする。
【００３９】
次に、混合バルブ２０から流出する混合湯水を切り換えて２箇所に給湯する切換バルブ３０について説明する。切換バルブ３０は、外側ケーシング２０ａ内の室に、支持体３１と、２つの給湯点に接続された流出ポート３３ａ，３３ｂを有するスリーブ３２と、このスリーブ３２に内嵌されている切換弁体３４と、を備えている。上記支持体３１の端部は、バルブ駆動軸３１ａに連結されており、さらに切換操作ハンドル５０に連結されている。また、支持体３１には、上記切換弁体３４が設けられている。上記切換弁体３４には、湯水混合室２３ａに接続される有底孔３５ａ及びこの有底孔３５ａから上記スリーブ３２の流出ポート３３ａ，３３ｂに切換接続される流路孔３６ａ，３６ｂが形成されている。
【００４０】
上記切換バルブ３０の動作について説明する。いま、切換操作ハンドル５０を回転して、流路孔３６ａを流出ポート３３ａに位置させると、混合バルブ２０の湯水混合室２３ａからの混合湯水は、有底孔３５ａから流路孔３６ａ、流出ポート３３ａを介してシャワー側通路へ流れる。一方、切換操作ハンドル５０を逆回転して流路孔３６ｂを流出ポート３３ｂに合わせると、有底孔３５ａの混合湯水は、流路孔３６ｂから流出ポート３３ｂを介してカラン側通路に流れる。このようにしてカラン１２とシャワとの２カ所の給湯点を切り換えるのである。
【００４１】
図１に戻り、水栓本体１１の形状について説明する。水栓本体１１の上面は、平坦な上面１１ｐとなっており、汚れが付着しても清掃しやすいようになっている。また、カバー部１３は、上述したように給水脚１１ａ，１１ｂを覆うように設けられ、上記上面１１ｐと面一に形成され、一体感をもたせて意匠性を向上させている。なお、このカバー部１３は、給水脚１１ａ，１１ｂに軽く係合させているので、着脱自在であり、清掃時に取り外すことも可能である。また、このカバー部１３自体は、熱伝導率の低い樹脂によって形成して断熱性を付加することができる。また、水栓本体１１の下部には、カラン１２が一体に形成されている。このようにカラン１２は、水栓本体１１を一体に構成することにより、別体に構成した場合と比較して、部品点数が少ないため、組立面、部品管理面において有利である。
【００４２】
次に、切換バルブ３０を回動操作する切換操作ハンドル５０について説明する。切換操作ハンドル５０は、切換バルブ３０のバルブ駆動軸３１ａに連結されかつ水栓本体１１の一端部に回動自在に支持されたハンドル本体部５１と、水栓本体１１の他端部と温度設定操作ハンドル４０との間に介在し水栓本体１１に回動自在に支持されたハンドル支持部５２と、ハンドル本体部５１とハンドル支持部５２との間に掛け渡されたアーチ部５３とにより構成されている。アーチ部５３は、上記水栓本体１１の上面１１ｐと面一な平坦な面となっており、押し下げまたは引き上げることにより、切換操作ハンドル５０が一体的に回動する。このとき、切換操作ハンドル５０のハンドル本体部５１は、バルブ駆動軸３１ａに連結されているために、バルブ駆動軸３１ａを回動させて切換バルブ３０を切り換え作動させ、つまり給水点をカラン１２またはシャワに切り換え、または止水させる。
【００４３】
また、切換操作ハンドル５０のアーチ部５３は、水栓本体１１の前面わたって掛け渡されており、右手でも左手でも同じように操作することができる。したがって、利き手に障害があっても無理に手をねじって操作する必要がなく、使い勝手がよい。また、このアーチ部５３は、手の平で押さえることも可能な面積を有しており、握力の弱い使用者にも使い勝手がよくなるように配慮されている。さらに、このアーチ部５３の上面には、点字や絵表示（図示せず）を設けることにより、視力の弱い使用者にも使い勝手がよくなるように配慮することができる。
【００４４】
上記アーチ部５３の上面は、水栓本体１１に形成した平坦な上面１１ｐとともに面一の平坦な面となっている。このようにアーチ部５３の上面を水栓本体１１とともに平坦な面とすることにより、水栓本体１１と切換操作ハンドル５０とに一体感が発生し、外観上も好ましい。
【００４５】
また、この切換操作ハンドル５０は、水栓本体１１の両側の２カ所で回動自在に支持されているために、つまりハンドル本体部５１とハンドル支持部５２とにより回動自在に支持されているために、回動操作が安定するとともに、切換操作ハンドル５０が大型化しても安定して操作できる。
【００４６】
図５及び図６は第２の実施の形態である水栓装置６０を示し、図５は水栓装置６０の斜視図、図６は図５の水栓装置６０の軸方向と直角方向の断面図である。この水栓装置６０は、鋳物で形成されかつ横長に配置された水栓本体６１と、給水した洗浄水をカラン６４とシャワー（図示せず）に切り換える切換操作ハンドル６２と、吐水する洗浄水の温度を設定する温度設定操作ハンドル６３と、前述したカラン６４と、給水脚３６ａ（給湯用），３６ｂ（給水用）と、吐水される洗浄水の温度が温度設定操作ハンドル６３で設定した値に一致するよう給水する湯と水の混合比を調節する混合バルブ６７と、混合バルブ６７で混合された洗浄水を切換操作ハンドル６２からの駆動力を受けてカラン６４とシャワーに切り換えるもしくは止水する切換バルブ６８とから構成される。この水栓装置６０は、第１の実施の形態に係る水栓装置１０と比較して、水栓本体６１がほぼ円柱状に形成されており、切換操作ハンドル６２および温度設定操作ハンドル６３も水栓本体６１の形状に倣ってほぼ円柱状に形成されている箇所、およびアーチ部６２ａも水栓本体６１と距離Ｌ１（１ｃｍ程度）を形成している箇所に構成上の差異がある。
【００４７】
このように、第２の実施の形態に係る水栓装置６０は、第１の実施の形態に係る水栓装置１０と比較して構成が一部異なっているが、こうすることにより、アーチ部６２ａと水栓本体６１との隙間が、切換操作ハンドル６２を回転操作しても変化しないため、操作感を一定とすることができる。
【００４８】
図７は第３の実施の形態にかかる水栓装置７０を示す断面図、図８は水栓装置７０の平面図である。水栓装置７０は、第２の実施の形態にかかる水栓装置６０と比べて、水栓本体７１の下部に設けたカラン７２を水平方向に回動可能に取り付けるとともに、切換操作ハンドル７３のアーチ部７４の形状が異なっている。すなわち、アーチ部７４は、水栓本体７１との距離Ｌ２を大きくとるとともに、その前側の縁部をカラン７２より距離Ｌ３だけ前側に突出するように平板状に形成したものである。このようなアーチ部７４と水栓本体７１の距離Ｌ２を大きくとることにより、アーチ部７４と水栓本体７１との間に広いスペースが形成され、このスペースを通して、上方からカラン７２の吐水口７２ａが視認でき、吐水位置を視認することができ、視力障害者にとって使い勝手のよい。また、アーチ部７４は、平板状に形成することにより、手に当てて回動操作することができる面積が大きくなり、一層、使用性を向上させることができる。
【００４９】
また、アーチ部７４の先端部がカラン７２より距離Ｌ３だけ突出させているので、アーチ部７４の上にかかった水や石鹸などがカラン７２の上に摘下することがなく、カラン７２の上面が汚れにくい。
【００５０】
さらに、カラン７２は、その上面が前方に向けて傾斜した傾斜面７２ｂになっており、この傾斜面７２ｂに汚れた水がかかっても、下方に流れる。したがって、カラン７２の上面に汚れが付着しにくい。なお、カラン７２の上面の汚れの付着を防止する効果を得るためには、カラン７２の傾斜角θは、カラン７２の材質により異なるが、通常の金属材料の場合には、水平面から１０度以上あればよいが、特にカラン７２を超親水性の材料により形成した場合には、３度以上あればよい。
【００５１】
なお、上記第３の実施の形態では、水栓本体７１とアーチ部７４との距離Ｌ２を大きくとったが、その距離Ｌ２が大きすぎると、カラン７２自体が大型化し、設置スペースをいたずらに増加させることから、カラン７２の吐水位置の視認性及び、アーチ部７４に触れる手の大きさを基準とした操作性から判断して８ｃｍ以下とすることが望ましい。
【００５２】
図９は第４の実施の形態にかかる水栓装置８０を一部破断して示す平面図である。水栓装置８０は、水栓本体８１の両側で切換操作ハンドル８４を支持する構成に特徴を有している。図１０は切換操作ハンドル８４を示す斜視図である。切換操作ハンドル８４は、ハンドル本体部８６と、ハンドル支持部８７と、ハンドル本体部８６とハンドル支持部８７とを連結するアーチ部８８とを備えている。ハンドル本体部８６の軸心には凹所８６ａが形成されており、この凹所８６ａにブッシュ８５が嵌合されている。凹所８６ａは、ブッシュ８５から軸方向と直角方向に着脱することができるようにその端部が開放されている。ブッシュ８５の軸心には、切換バルブ８３のバルブ軸８３ａに嵌合する軸穴８５ａが形成されている。このブッシュ８５は、切換バルブ８３のバルブ軸８３ａとハンドル本体部８６とを連結して、ハンドル本体部８６の回動力をバルブ軸８３ａに伝達するものである。また、ハンドル支持部８７の側部には、温度調節ハンドル８９が装着されている。この温度調節ハンドル８９は、ハンドル支持部８７の貫通穴８７ａを貫通するボス部８９ａを備え、このボス部８９ａの軸穴８９ｂを混合バルブ８２のバルブ軸８２ａに連結固定している。
【００５３】
上記切換操作ハンドル８４を水栓本体８１に装着するには、まず、切換バルブ８３のバルブ軸８３ａをブッシュ８５の軸穴８５ａに嵌合して、ブッシュ８５を切換バルブ８３に取り付ける。次いで、ハンドル支持部８７の貫通穴８７ａに混合バルブ８２のバルブ軸８２ａを貫通させると共に、ハンドル本体部８６の凹所８６ａをブッシュ８５に嵌合させて、ハンドル本体部８６とハンドル支持部８７とで水栓本体８１の両側を挟むようにすることにより、ハンドル支持部８７を水栓本体８１に装着する。次いで、温度調節ハンドル８９のボス部８９ａをハンドル支持部８７の貫通穴８７ａに貫通させて、軸穴８９ｂを混合バルブ８２のバルブ軸８２ａに嵌合させる。逆の操作を行なうことにより、切換操作ハンドル８４を水栓本体８１から外すことができる。このように、第４の実施の形態では、切換操作ハンドル８４をブッシュ８５を介してワンタッチで水栓本体８１に着脱することができるから、組立及び取り外し作業が容易である。
【００５４】
図１１は第５の実施の形態にかかる水栓装置９０を示す断面図である。水栓装置９０は、第４の実施の形態の同様に、水栓本体９１の両側で切換操作ハンドル９４を支持する構成に特徴を有している。図１２は切換操作ハンドル９４を示す斜視図、図１３は水栓装置９０を分解して示す断面図である。切換操作ハンドル９４は、ハンドル本体部９６と、ハンドル支持部９７と、ハンドル本体部９６とハンドル支持部９７とを連結するアーチ部９８とを備えている。ハンドル本体部９６の軸心には貫通穴９６ａが形成されており、この貫通穴９６ａの壁面にスプライン９６ｂが形成されている。この貫通穴９６ａには、連結ピン９５が貫挿されている。連結ピン９５は、外周部に上記スプライン９６ｂに嵌合するスプライン９５ｂが形成されており、また先端部に軸穴９５ａが形成されている。この軸穴９５ａに切換バルブ９３のバルブ軸９３ａが嵌合している。この連結ピン９５は、切換バルブ９３のバルブ軸９３ａとハンドル本体部９６とを連結して、ハンドル本体部９６の回動力をバルブ軸９３ａに伝達するものである。
【００５５】
また、ハンドル支持部９７の側部には、温度調節ハンドル９９が装着されている。この温度調節ハンドル９９は、ハンドル支持部９７の貫通穴９７ａを貫通するボス部９９ａを備え、このボス部９９ａの軸穴９９ｂに混合バルブ９２のバルブ軸９２ａを嵌合している。
【００５６】
上記切換操作ハンドル９４を水栓本体９１に装着するには、切換操作ハンドル９４のハンドル本体部９６とハンドル支持部９７とで水栓本体９１の両側を挟むように位置合わせし、連結ピン９５を貫通穴９６ａに貫挿する。このとき、連結ピン９５のスプライン９５ｂをハンドル本体部９６のスプライン９６ｂに嵌合させると共に、軸穴９５ａに切換バルブ９３のバルブ軸９３ａを嵌合させる。次いで、温度調節ハンドル９９のボス部９９ａをハンドル支持部９７の貫通穴９７ａに貫通させて、軸穴９９ｂを混合バルブ９２のバルブ軸９２ａに嵌合させる。これにより、切換操作ハンドル９４を水栓本体９１に装着することができる。なお、逆の操作を行なうことにより、切換操作ハンドル９４を水栓本体９１から外すことができる。
【００５７】
このように、第５の実施の形態では、切換操作ハンドル９４を連結ピン９５及び温度調節ハンドル９９で確実に支持すると共に、連結ピン９５及び温度調節ハンドル９９を挿脱することにより、切換操作ハンドル９４を水栓本体９１に着脱することができるから、組立及び取り外し作業が容易である。
【００５８】
図１４は第６の実施の形態にかかる水栓装置１００を示す斜視図、図１５は水栓装置１００を分解して示す斜視図である。水栓装置１００は、上述した第４及び第５の実施の形態と同様に、水栓本体１０１の両側で切換操作ハンドル１０４を支持する構成に特徴を有している。切換操作ハンドル１０４は、ハンドル本体部１０６と、ハンドル支持部１０７と、ハンドル本体部１０６とハンドル支持部１０７とを連結するアーチ部１０８とを備えている。ハンドル本体部１０６の軸心には貫通穴１０６ａが形成されており、この貫通穴１０６ａの壁面にスプライン１０６ｂが形成されている。また、ハンドル本体部１０６の側部には、該ハンドル本体部１０６の外形に倣った形状のハンドル継手１０５が装着されている。ハンドル継手１０５は、その側部に突設されたボス部１０５ａ及び突部１０５ｃを備えている。ボス部１０５ａは、ハンドル本体部１０６の貫通穴１０６ａを貫通して、スプライン１０６ｂ、スプライン１０５ｂを介してハンドル本体部１０６と連結される。また、ボス部１０５ａの先端部には、軸穴１０５ｄが形成され、切換バルブ１０３のバルブ軸１０３ａに嵌合している。また、ハンドル継手１０５の突部１０５ｃは、ハンドル本体部１０６のガイド穴１０６ｃに突入嵌合することにより、ハンドル本体部１０６に対して回り止めする。
【００５９】
一方、ハンドル支持部１０７の側部には、温度調節ハンドル１０９が装着されている。この温度調節ハンドル１０９は、ハンドル支持部１０７の貫通穴１０７ａを貫通するボス部１０９ａを備え、このボス部１０９ａの軸穴１０９ｂに混合バルブ１０２のバルブ軸１０２ａを嵌合している。
【００６０】
上記切換操作ハンドル１０４を水栓本体１０１に装着するには、ハンドル本体部１０６とハンドル支持部１０７とで水栓本体１０１の両側を挟むように位置合わせし、ハンドル継手１０５を貫通穴１０６ａに貫挿する。このとき、ハンドル継手１０５のスプライン１０５ｂをハンドル本体部１０６のスプライン１０６ｂに嵌合させると共に、軸穴１０５ｄに切換バルブ１０３のバルブ軸１０３ａを嵌合させる。次いで、温度調節ハンドル１０９のボス部１０９ａをハンドル支持部１０７の貫通穴１０７ａに貫通させて、軸穴１０９ｂを混合バルブ１０２のバルブ軸１０２ａに嵌合させる。これにより、切換操作ハンドル１０４を水栓本体１０１に装着することができる。なお、逆の操作を行なうことにより、切換操作ハンドル１０４を水栓本体１０１から外すことができる。
【００６１】
このように、第６の実施の形態では、切換操作ハンドル１０４をハンドル継手１０５及び温度調節ハンドル１０９で確実に支持すると共に、ハンドル継手１０５及び温度調節ハンドル１０９を挿脱することにより、切換操作ハンドル１０４を水栓本体１０１に着脱することができるから、組立及び取り外し作業が容易である。
【００６２】
図１６は水栓装置１００の軸方向と直角方向の断面図である。図１６において、水栓装置１００は、水栓本体１０１の下部に水平方向に回動自在なカラン１０１ａを備え、このカラン１０１ａの上方に切換操作ハンドル１０４が設けられている。切換操作ハンドル１０４は回動することにより、カラン１０１ａとシャワー（図示省略）との給湯点を変更するものであるが、水平から角度θ０の範囲が止水位置Ｐ０、水平から下方へ角度θ１の範囲がカラン１０１ａによる吐水位置Ｐ１、水平から上方へ角度θ２の範囲がシャワーによる吐水位置Ｐ２になっている。そして、カラン１０１ａ側の吐水位置Ｐ１の角度θ１は、シャワー側の吐水位置Ｐ２の角度θ２より小さくなるように設定している。
【００６３】
このように角度θ１と角度θ２との大小関係を設定したのは、以下の理由による。切換操作ハンドル１０４は、カラン１０１ａの上方に配置されており、カラン１０１ａと壁などに当たらない範囲で回動可能に設定する必要がある。したがって、このような狭い範囲で、流量及び温度調節を行なう必要があるが、回動角度が狭い範囲では微妙な流量調節をすることが難しい。そこで、以下の点を考慮している。通常、カラン１０１ａからの吐水量を調節する頻度より、シャワーの吐水量を調節する頻度の方が大きい。というのは、カラン１０１ａからの吐水量は、浴槽や手桶などに、一定量を短時間に流出させるような使用方法が多く、シャワーのように流量調節することが少ない。しかも、シャワーの場合には、シャワーヘッドの部分で流量抵抗が大きいために、一層、微妙な流量調節が難しい。そこで、シャワー側において流量調節できる範囲を大きくし、カラン１０１ａ側において流量調節できる範囲を狭くしたのである。
【００６４】
また、水栓装置１００では、止水位置Ｐ０を角度θ０（４５゜以下）の範囲に設定することにより、止水を容易に行なうことができ、障害者に対しての操作性を一層高めている。なお、この止水範囲は、用途に応じて適宜設定することができ、図１７に示すように、水栓装置１２０の切換操作ハンドル１２４におけるようになくすか狭くし、カラン１２１ａ及びシャワー側の流量調節できる角度θ１，θ２を大きくとってもよい。
【００６５】
なお、図１６及び図１７における水栓装置１００，１２０の止水範囲、吐水位置Ｐ１，Ｐ２は、ストッパ機構や節度感を有するクリック手段により規定することが好ましい。図１８は切換操作ハンドル１０４のストッパ機構１３０を説明する説明図である。すなわち、切換操作ハンドル１０４のハンドル本体部１０６の内周部には、所定角度範囲にわたって切欠き１３０ａが形成されており、一方、水栓本体１０１の外周側に係止突起１３０ｂが形成されており、係止突起１３０ｂが切欠き１３０ａの範囲で回動可能に切換操作ハンドル１０４の回動範囲を規制している。
【００６６】
ここで、上記ストッパ機構１３０は、ハンドル本体部１０６及びハンドル支持部１０７にそれぞれ設けられている。これは、以下の理由による。いま、切換操作ハンドル１０４のアーチ部１０８を押し下げまたは押し上げる力を加え、ストッパ機構１３０による回動範囲の上限に達すると、回動を規制する反力がハンドル本体部１０６とハンドル支持部１０７とからアーチ部１０８に加えられる。このとき、ストッパ機構１３０がハンドル本体部１０６とハンドル支持部１０７との両方に設けられているから、アーチ部１０８は、ほぼ等しい反力を受けて捻るような力を受けない。したがって、アーチ部１０８の接続部などの大きな負荷が加えられず、切換操作ハンドル１０４のガタつきが防止される。
【００６７】
なお、止水位置とシャワーからの吐水開始位置、カラン１０１ａからの吐水開始位置との間には、図１９に示すようなクリック機構１４０を設けてもよい。図１９はクリック機構１４０を説明する説明図である。クリック機構１４０は、水栓本体１０１の外周部に形成された収納溝１４１と、この収納溝１４１に収納されたスプリング１４２と、スプリング１４２に支持されたボール１４３とを備え、このボール１４３がハンドル本体部１０６に形成された凹所１４４を係合することにより節度感を与えている。この場合において、クリック機構１４０は、切換操作ハンドル１０４の回動抵抗力となることから、ハンドル本体部１０６のほかにハンドル支持部１０７にも設けることが好ましい。これにより、ストッパ機構１３０と同様にアーチ部１０８のねじれを防止することができる。
【００６８】
図２１ないし図３９は切換操作ハンドルのアーチ部を分割して形成した実施例であり、温度設定操作ハンドルを水栓本体から外すことなく、切換操作ハンドルだけを外してメンテナンスができる例である。以下、各実施の形態について説明する。
【００６９】
図２０は第７の実施の形態にかかる水栓装置２００を示す斜視図、図２１は水栓装置２００の一部を分解して示す斜視図である。水栓装置２００は、上述した図１ないし図１９の実施の形態と比べて、切換操作ハンドル２０４の一部だけを取り外すことができる構成に特徴を有している。すなわち、切換操作ハンドル２０４は、ハンドル本体部２０６と、ハンドル支持部２０７と、ハンドル本体部２０６とハンドル支持部２０７とを連結するアーチ部２０８とを備えている。ハンドル本体部２０６は、アーチ部２０８の端部と着脱自在に形成されている。すなわち、ハンドル本体部２０６の中央部にネジ穴２０６ａが形成されており、ネジ２０６ｂがネジ穴２０６ａを貫通し、さらに切換バルブ２０３のバルブ軸２０３ａに螺着されている。また、ハンドル本体部２０６の端部にもネジ穴２０６ｃが穿設され、ネジ２０６ｄがネジ穴２０６ｃを貫通して、アーチ部２０８の端部のネジ穴２０８ａに螺着されている。また、ハンドル本体部２０６の側部は、該ハンドル本体部２０６の側部の形状に倣ったキャップ２０６ｅで覆われている。
【００７０】
上記水栓装置２００では、切換操作ハンドル２０４のアーチ部２０８に上方または下方へ力を加えると、アーチ部２０８、ネジ２０６ｄを介してハンドル本体部２０６を回動させ、さらにネジ２０６ｂを介して切換バルブ２０３のバルブ軸２０３ａを回動させて切換バルブ２０３を切換動作させる。
【００７１】
水栓装置２００において、切換バルブ２０３のメンテナンスをするには、ハンドル本体部２０６だけを外すことにより行なうことができる。すなわち、キャップ２０６ｅをハンドル本体部２０６の側部から外し、さらにネジ２０６ｂ及びネジ２０６ｄを外し、さらに、ハンドル本体部２０６を切換バルブ２０３及びアーチ部２０８から分離する。このように、温度調節ハンドル２０９を外さなくても、ハンドル本体部２０６だけを外して、切換バルブ２０３を取り出すことができるから、切換バルブ２０３のメンテナンスが容易である。
【００７２】
図２２は第８の実施の形態にかかる水栓装置２１０の一部を分解して示す斜視図、図２３は水栓装置２１０の要部の断面図である。水栓装置２１０は、図２１の実施の形態と比べて、切換操作ハンドル２１４の接続構成に特徴を有している。すなわち、切換操作ハンドル２１４は、ハンドル本体部２１６と、ハンドル支持部２１７と、ハンドル本体部２１６とハンドル支持部２１７とを連結するアーチ部２１８とを備えている。ハンドル本体部２１６は、アーチ部２１８の端部と着脱自在に形成されている。すなわち、ハンドル本体部２１６の軸心には、切換バルブ２１３のバルブ軸２１３ａを固定する軸穴（図示省略）が形成されている。また、図２３に示すように、ハンドル本体部２１６の端部にも、ガイド穴２１６ａが穿設され、また下方からネジ穴２１６ｂが形成されている。また、アーチ部２１８の端部には、ガイド穴２１６ａに挿入されるようにガイドピン２１８ａが埋設されている。このガイドピン２１８ａの先端側外周には、抜止溝２１８ｂが刻設されている。この抜止溝２１８ｂにネジ穴２１６ｂに螺着されたネジ２１６ｃの先端部が突入している。
【００７３】
水栓装置２１０において、切換バルブ２１３のメンテナンスをするには、ハンドル本体部２１６だけを外すことにより行なうことができる。すなわち、ネジ２１６ｃを外せば、ガイドピン２１８ａの抜止溝２１８ｂに対して係脱され、これにより、ハンドル本体部２１６をアーチ部２１８及び切換バルブ２１３のバルブ軸２１３ａから分離することができる。このように、温度調節ハンドル２１９を外さなくても、ハンドル本体部２１６だけを外して、切換バルブ２１３を取り出すことができるから、切換バルブ２１３のメンテナンスが容易である。また、ネジ２１６ｃはハンドル本体部２１６の下方から着脱するために前面に表れないから、これを隠すためのキャップなども必要とせず、意匠性に優れている。
【００７４】
図２４は第９の実施の形態にかかる水栓装置２２０を示す斜視図である。水栓装置２２０は、切換操作ハンドル２２４の接続構成に特徴を有している。すなわち、切換操作ハンドル２２４は、ハンドル本体部２２６と、ハンドル支持部２２７と、ハンドル本体部２２６とハンドル支持部２２７とを連結するアーチ部２２８とを備えている。水栓装置２２０におけるアーチ部２２８は、上下の薄板状に分割されて形成されている。すなわち、アーチ部２２８は、ハンドル本体部２２６から延設されたアーチ下部２２８ａと、ハンドル支持部２２７から延設されたアーチ上部２２８ｂとから形成されている。図２５はアーチ上部２２８ｂとアーチ下部２２８ａとを接合する前のアーチ部２２８を示す図である。アーチ部２２８は、アーチ下部２２８ａとアーチ上部２２８ｂとは互いに一体になるように段部２２８ｃ，２２８ｄに形成され、水栓本体２２１へ組み付けることにより密着した状態で互いに一体化する。
【００７５】
図２６ないし図２８は水栓装置２２０の使用の様子を説明する説明図である。図２６に示すように、アーチ部２２８を手で握ると、アーチ上部２２８ｂとアーチ下部２２８ａとが密着する方向に力が加えられる。また、図２７に示すように、アーチ部２２８を下げると、アーチ上部２２８ｂがアーチ下部２２８ａを押す方向に力が加えられて、アーチ部２２８の密着性が高められる。さらに、図２８に示すように、アーチ部２２８を上げると、アーチ下部２２８ａがアーチ上部２２８ｂを押す方向に力が加えられてアーチ部２２８の密着性が高められる。したがって、アーチ部２２８をアーチ上部２２８ｂとアーチ下部２２８ａとの重ね合わせ構造として場合に、アーチ上部２２８ｂとアーチ下部２２８ａとの接合強度が高く、それらをビスなどで連結する必要がなく、構成を簡単にできる。
【００７６】
また、アーチ上部２２８ｂとアーチ下部２２８ａとが広い面積での接合であるので、局所的に大きな過重が加えられず、よってアーチ部２２８を細くしても大きな強度を得ることができる。
【００７７】
なお、水栓装置２２０において、切換バルブのメンテナンスをするには、ハンドル本体部２２６を軸方向に抜くだけで容易に行なうことができる。
【００７８】
なお、アーチ部２２８は、アーチ上部２２８ｂとアーチ下部２２８ａとをネジで一体に連結してもよく、これにより一層、アーチ部２２８の一体性を一層高めることができる。
【００７９】
図２９は第１０の実施の形態にかかる水栓装置２３０を示す斜視図、図３０は水栓装置２３０の切換操作ハンドル２３４を分解した斜視図である。本実施の形態は、切換操作ハンドル２３４のアーチ部２３８を両側で着脱自在に構成した点に特徴を有している。すなわち、アーチ部２３８は、棒状のアーチ本体２３８ａと、アーチ本体２３８ａの一端部に形成された接続端部２３８ｂとを備えている。接続端部２３８ｂは、ハンドル本体部２３６に連結されるブロック形状であり、アーチ本体２３８ａに対してハンドル本体部２３６側に突出した形状になっている。
【００８０】
このアーチ部２３８は、接続端部２３８ｂでネジ２３８ｃを介してハンドル支持部２３７に締結されるとともに、アーチ本体２３８ａの端部でネジ２３８ｄを介してハンドル支持部２３７に締結されている。なお、ネジ２３８ｃ，２３８ｄは、キャップ２３８ｅ，２３８ｆにより覆われている。したがって、上記アーチ部２３８の接続構成によれば、ネジ２３８ｄを外せば、ハンドル本体部２３６及びアーチ部２３８を水栓本体２３１から外すことができ、メンテナンスを容易に行なうことができる。
【００８１】
また、上記アーチ部２３８の接続端部２３８ｂは、ハンドル本体部２３６側に突出して形成されてハンドル本体部２３６に連結されており、つまり、切換操作ハンドル２３４のバルブ軸に近接しているハンドル本体部２３６に連結されている。このため、アーチ部２３８に大きな力が加わっても、接続端部２３８ｂとハンドル本体部２３６との間に大きなモーメントが加わらず、アーチ部２３８に大きな機械的強度を必要としない。
【００８２】
図３１は水栓装置２４０のアーチ部２４８を円弧形状に形成した第１１の実施の形態である。この実施の形態でも、アーチ部２４８は、ハンドル本体部２４６との連結部分に大きな力が加わらないように、アーチ部２４８のハンドル本体部２４６側をハンドル支持部２３７より軸側に近接するように湾曲形成している。
【００８３】
図３２は第１２の実施の形態にかかる水栓装置２５０を示す斜視図、図３３はアーチ部２５８の着脱作業を説明する説明図、図３４は水栓装置２５０の分解斜視図である。本実施の形態は、切換操作ハンドル２５４のアーチ部２５８をハンドル支持部２５７側で連結した構成に特徴を有している。すなわち、アーチ部２５８は、ハンドル本体部２５６の端部から一体にＬ字形に延設されている。また、ハンドル支持部２５７は、支持本体２５７ａから延設された支持連結部２５７ｂを備えている。そして、支持連結部２５７ｂは、アーチ部２５８の自由端２５８ａ側にネジ２５８ｂにより軸方向から締結されている。
【００８４】
この水栓装置２５０において、ハンドル本体部２５６を外すには、温度調節ハンドル２５９を上方へ回動する。これにより、アーチ部２５８の自由端２５８ａ側の側部に締結されたネジ２５８ｂが見えるようになる。そして、ネジ２５８ｂをドライバなどの治具で外せば、アーチ部２５８の自由端２５８ａと支持連結部２５７ｂとの間の連結が解除され、ハンドル本体部２５６をアーチ部２５８とともに支持連結部２５７ｂから外すことができる。したがって、図３４に示すように、切換バルブ２５３などを水栓本体２５１から外し、切換バルブ２５３のメンテナンスができる。
【００８５】
本実施の形態では、アーチ部２５８がハンドル本体部２５６と一体に形成されて、ハンドル支持部２５７に対して切換バルブ２５３のバルブ軸２５３ａ側と反対側で、つまり、アーチ部２５８の自由端２５８ａでハンドル支持部２５７の支持本体２５６ａに連結されている。したがって、切換バルブ２５３のバルブ軸２５３ａに近接して連結部がないので、この連結部に加わる負荷が大きくなることがなく、アーチ部２５８やその連結部分の機械的強度を高める必要がない。
【００８６】
また、ネジ２５８ｂは、温度調節ハンドル２５９を上方に回動しなければ、表面に露出しないから、ネジ２５８ｂを隠すための化粧キャップなどを装着しなくても意匠性に優れている。
【００８７】
図３５は第１３の実施の形態にかかる切換操作ハンドル２６４のアーチ部２６８を説明する説明図、図３６はアーチ部２６８の部分の断面図である。本実施の形態は、切換操作ハンドル２６４の連結構成に特徴を備えている。すなわち、アーチ部２６８は、ハンドル本体部２６６から一体的に延設され、その一端部が自由端２６８ａになり、その端部が連結段部２６８ｂになっている。一方、ハンドル支持部２６７は、リング状の環状支持部２６７ａを備え、この環状支持部２６７ａからアーチ部２６８の連結段部２６８ｂと連結するための連結段部２６７ｂが形成されている。そして、連結段部２６８ｂと連結段部２６７ｂとがネジ２６８ｃにより下方から締結されている。したがって、ネジ２６８ｃを外すことによりハンドル本体部２６６及びアーチ部２６８を一体的に分離することができる。この実施の形態においても、ネジ２６８ｃは、下方から締結されて前方から見えないので意匠性に優れている。
【００８８】
なお、図３３の水栓装置２５０では、アーチ部２６８を水平方向からネジ止めしているが、図３７の第１４の実施の形態にかかる水栓装置２７０に示すように下方からネジ止めしてもよい。すなわち、切換操作ハンドル２７４のアーチ部２７８は、ハンドル本体部２７６から一体的に延設され、その一端部が自由端２７８ａになり、その端部に連結ピン２７８ｂが突設されている。一方、ハンドル支持部２７７の端部には、上記連結ピン２７８ｂを挿入するガイド穴（図示省略）が形成され、さらに、下方からネジ２７８ｃが螺着されることにより連結ピン２７８ｂが抜止されている。したがって、ネジ２７８ｃを外すことにより、ハンドル本体部２７６及びアーチ部２７８を一体的に分離することができる。
【００８９】
図３８は第１５の実施の形態にかかる水栓装置２８０を設置した洗面台を示す斜視図、図３９は水栓装置２８０を一部破断した側面図である。本実施の形態にかかる水栓装置２８０は、切換操作ハンドル２８４のハンドル本体部２８６及び温度調節ハンドル２８９を図示の右側から同時に着脱することができる構成に特徴を有する。すなわち、切換操作ハンドル２８４は、ハンドル本体部２８６と、ハンドル支持部２８７と、ハンドル本体部２８６とハンドル支持部２８７とを連結するアーチ部２８８とを備えている。ハンドル本体部２８６は、水栓本体２８１に対して回動自在に支持されている。また、アーチ部２８８は、ハンドル本体部２８６にネジ２８８ａを介して連結され、ハンドル支持部２８７とは一体形成されている。また、ハンドル支持部２８７は、その軸心でネジ２８７ａを介して貫通孔２８７ｂを貫通して、水栓本体２８１のネジ穴２８１ｂにネジ止めされている。したがって、切換操作ハンドル２８４は、水栓本体２８１に対して回動自在に支持されている。さらに、温度調節ハンドル２８９は、ハンドル本体部２８６の側面に装着されており、ハンドル本体部２８６の貫通穴（図示省略）を介して、混合バルブ２８２の温度調節を行うことができるように水栓本体２８１に支持されている。
【００９０】
このような構成において、混合バルブ２８２や切換バルブ２８３のメンテナンスを行なうには、ネジ２８８ａを外せば、ハンドル本体部２８６がアーチ部２８８から分離し、混合バルブ２８２や切換バルブ２８３を温度調節ハンドル２８９及び切換操作ハンドル２８４と一体に外すことができる。
【００９１】
この水栓装置２８０では、図３８に示すように、洗面台にハンドシャワーＨｈとともに設置した場合に、ハンドシャワーＨｈ側のスペースが狭くなっていても、ハンドシャワーＨｈと反対側へ温度調節ハンドル２８９などを外すことができ、メンテナンスが容易である。
【００９２】
なお、上記実施の形態では、ネジなどの締結部材を外すことにより水栓本体から操作ハンドルを着脱する構成を説明したが、これに限らず、操作ハンドルを操作できる範囲でない角度に設定されたときに操作ハンドルを着脱できる構成としてもよい。
【００９３】
図４０ないし図５０は上述した実施の形態のように温度調節機能を有する水栓装置と異なり、吐水・止水機能だけを有する水栓装置を示す実施の形態である。
【００９４】
図４０は第１６の実施の形態にかかる水栓装置３００を示す斜視図、図４１は水栓装置３００を示す側面図である。水栓装置３００は、水栓本体３０１と、水栓本体３０１内に収納された切換バルブ３０３と、切換バルブ３０３を開閉操作するための切換操作ハンドル３０４とを備えている。水栓本体３０１の上部には、上方へ突出したスパウト３０１ａが設けられており、このスパウト３０１ａの先端部に下方に開口した吐水口３０１ｂが設けられている。また、上記切換操作ハンドル３０４は、水栓本体３０１の一端部で、切換バルブ３０３のバルブ軸３０３ａに連結され、他端部で回動自在に支持され、その間をアーチ部３０８で連結されている。このアーチ部３０８は、水栓本体３０１の前面に跨って配設されている。
【００９５】
上記水栓装置３００において、止水位置（図示の水平位置）にある切換操作ハンドル３０４を下方へ回動することにより、切換操作ハンドル３０４の回動力は、バルブ軸３０３ａを介して切換バルブ３０３を作動させて、スパウト３０１ａを通り吐水口３０１ｂから吐水される。このように、切換操作ハンドル３０４は、スパウト３０１ａの下方に水平方向にわたって配設されており、左右のいずれの手からも同じような操作性を得ることができる。
【００９６】
図４２は水栓装置３００を台所に取り付けた状態を示す斜視図、図４３は水栓装置３００を使用している様子を説明する説明図である。水栓装置３００のスパウト３０１ａは、水栓本体３０１との取付部を中心として回動することにより吐水口３０１ｂをシンクＳＩの広い範囲にわたって移動させることができる。しかも、スパウト３０１ａの下部に配置した切換操作ハンドル３０４は、左右対称であり、図４３に示すように座った状態であっても、左右いずれの手も容易に届く範囲にあり、使い勝手がよい。
【００９７】
図４４は第１７の実施の形態にかかる水栓装置３１０が浴室Ｂｒの壁面に取り付けられている状態を示す斜視図である。図４４に示すように、水栓装置３１０は、スパウト３１１ａを水平方向へ回動することにより、吐水口３１１ｂを浴槽Ｂｔと、洗い場Ｂｆとに選択的に向けることができる。さらに切換操作ハンドル３１４を押し下げまたは押し上げることにより吐水・止水を行なうことができ、しかも浴槽Ｂｔまたは洗い場Ｂｆのいずれの方向からも同じような操作性を得ることができる。
【００９８】
図４５及び図４６は浴室Ｂｒを上方から見た図であり、図４５は浴槽Ｂｔが図示の左側に設置されている場合を示し、図４６は浴槽Ｂｔが図示の右側に設置されている場合を示す。図４５及び図４６に示すように水栓装置３１０を浴槽Ｂｔの洗い場Ｂｆとの間の壁面に設置することにより、水栓装置３１０の切換操作ハンドル３１４は、水平方向に跨ったほぼ左右対称の形状であることから、浴槽Ｂｔを浴室の左右いずれの位置に設置しても、同一の操作性を得ることができ、水栓装置３１０に種々のバリエーションを取り揃える必要がない。
【００９９】
なお、水栓装置は、種々の位置に取り付けることができ、例えば、図４７及び図４８の第１８の実施の形態に示すように、水栓装置３２０をカウンタＣｔの下面に取り付けたり、図４９及び図５０の第１９の実施の形態にかかる水栓装置３３０に示すように、カウンタＣｔの下部の壁面Ｗｌに固定するなど各種の場所に設置しても、切換操作ハンドルの使い勝手が悪くなることもない。
【図面の簡単な説明】
【図１】  第１の実施の形態に係る水栓装置１０を示す斜視図である。
【図２】  水栓装置１０を軸方向に対して直角方向に切断した断面図である。
【図３】  水栓装置１０の平面図である。
【図４】  水栓装置１０に収納された混合バルブ２０及び切換バルブ３０を示す断面図である。
【図５】  第２の実施の形態にかかる水栓装置６０を示す斜視図である。
【図６】  水栓装置６０を示す断面図である。
【図７】  第３の実施の形態にかかる水栓装置７０を示す断面図である。
【図８】  水栓装置７０の平面図である。
【図９】  第４の実施の形態にかかる水栓装置８０を一部破断して示す平面図である。
【図１０】  切換操作ハンドル８４を示す斜視図である。
【図１１】  第５の実施の形態にかかる水栓装置９０を示す断面図である。
【図１２】  切換操作ハンドル９４を示す斜視図である。
【図１３】  水栓装置９０を分解して示す断面図である。
【図１４】  第６の実施の形態にかかる水栓装置１００を示す斜視図である。
【図１５】  水栓装置１００を分解して示す斜視図である。
【図１６】  水栓装置１００の軸方向と直角方向の断面図である。
【図１７】  図１６の変形例にかかる水栓装置１２０の軸方向と直角方向の断面図である。
【図１８】  切換操作ハンドル１０４のストッパ機構１３０を説明する説明図である。
【図１９】  クリック機構１４０を説明する説明図である。
【図２０】  第７の実施の形態にかかる水栓装置２００を示す斜視図である。
【図２１】  水栓装置２００の一部を分解して示す斜視図である。
【図２２】  第８の実施の形態にかかる水栓装置２１０の一部を分解して示す斜視図である。
【図２３】  水栓装置２１０の要部の断面図である。
【図２４】  第９の実施の形態にかかる水栓装置２２０を示す斜視図である。
【図２５】  アーチ上部２２８ｂとアーチ下部２２８ａとを接合する前のアーチ部２２８を示す図である。
【図２６】  水栓装置２２０の操作を説明する説明図である。
【図２７】  水栓装置２２０の操作を説明する説明図である。
【図２８】  水栓装置２２０の操作を説明する説明図である。
【図２９】  第１０の実施の形態にかかる水栓装置２３０を示す斜視図である。
【図３０】  水栓装置２３０の切換操作ハンドル２３４を分解した斜視図である。
【図３１】  第１１の実施の形態にかかる水栓装置２４０のアーチ部２４８を示す平面図である。
【図３２】  第１２の実施の形態にかかる水栓装置２５０を示す斜視図である。
【図３３】  水栓装置２５０のアーチ部２５８の着脱作業を説明する説明図である。
【図３４】  水栓装置２５０の分解斜視図である。
【図３５】  第１３の実施の形態にかかる切換操作ハンドル２６４のアーチ部２６８を説明する説明図である。
【図３６】  アーチ部２６８の部分の断面図である。
【図３７】  第１４の実施の形態にかかる水栓装置２７０を一部分解して示す斜視図である。
【図３８】  第１５の実施の形態にかかる水栓装置２８０を設置した洗面台を示す斜視図である。
【図３９】  水栓装置２８０の一部を破断した側面図である。
【図４０】  第１６の実施の形態にかかる水栓装置３００を示す斜視図である。
【図４１】  水栓装置３００を示す側面図である。
【図４２】  水栓装置３００を台所に取り付けた状態を示す斜視図である。
【図４３】  水栓装置３００を使用している様子を説明する説明図である。
【図４４】  第１７の実施の形態にかかる水栓装置３１０が浴室Ｂｒの壁面に取り付けられている状態を示す斜視図である。
【図４５】  水栓装置３１０が浴槽Ｂｔの右側に設置されている場合を示す説明図である。
【図４６】  水栓装置３１０が浴槽Ｂｔの左側に設置されている場合を示す説明図である。
【図４７】  第１８の実施の形態にかかる水栓装置３２０を示す斜視図である。
【図４８】  水栓装置３２０をカウンタＣｔの下面に取り付け状態を示す側面図である。
【図４９】  第１９の実施の形態にかかる水栓装置３３０を示す斜視図である。
【図５０】  水栓装置３３０をカウンタＣｔの下方の壁面に取り付けた状態を示す側面図である。
【符号の説明】
１０...水栓装置
１１ａ，１１ｂ...給水脚
１１...水栓本体
１１ｐ...上面
１２...カラン
１３...カバー部
２０...混合バルブ
２０ａ...外側ケーシング
２１...ケーシング本体
２１ａ...水導入通路
２１ｂ...湯導入流路
２１ｃ...水側ポート
２１ｄ...湯側ポート
２１ｅ...断熱用水路
２３ａ...湯水混合室
２３ｂ...湯流入室
２３ｃ...スライド室
２４...感温ばね
２５...バイアスばね
２６...可動弁体
２７...スペーサ
２８...予荷重調節装置
２８ａ...スピンドル
２８ｂ...ライナ
３０...切換バルブ
３１...支持体
３１ａ...バルブ駆動軸
３２...スリーブ
３３ａ，３３ｂ...流出ポート
３４...切換弁体
３５ａ...有底孔
３６ａ，３６ｂ...流路孔
３７...連結部材
３８ａ...第１流路
３８ｂ...第２通路
４０...温度設定操作ハンドル
５０...切換操作ハンドル
５１...ハンドル本体部
５２...ハンドル支持部
５３...アーチ部
６０...水栓装置
６１...水栓本体
６２...切換操作ハンドル
６２ａ...アーチ部
６３...温度設定操作ハンドル
６４...カラン
６７...混合バルブ
６８...切換バルブ
７０...水栓装置
７１...水栓本体
７２...カラン
７２ａ...吐水口
７２ｂ...傾斜面
７３...切換操作ハンドル
７４...アーチ部
８０...水栓装置
８１...水栓本体
８２...混合バルブ
８２ａ...バルブ軸
８３...切換バルブ
８３ａ...バルブ軸
８４...切換操作ハンドル
８５...ブッシュ
８５ａ...軸穴
８６...ハンドル本体部
８６ａ...凹所
８７...ハンドル支持部
８７ａ...貫通穴
８８...アーチ部
８９...温度調節ハンドル
８９ａ...ボス部
８９ｂ...軸穴
９０...水栓装置
９１...水栓本体
９２...混合バルブ
９２ａ...バルブ軸
９３...切換バルブ
９３ａ...バルブ軸
９４...切換操作ハンドル
９５...連結ピン
９５ｂ...スプライン
９５ａ...軸穴
９６...ハンドル本体部
９６ａ...貫通穴
９６ｂ...スプライン
９７...ハンドル支持部
９７ａ...貫通穴
９８...アーチ部
９９...温度調節ハンドル
９９ａ...ボス部
９９ｂ...軸穴
１００...水栓装置
１０１...水栓本体
１０１ａ...カラン
１０２...混合バルブ
１０２ａ...バルブ軸
１０３...切換バルブ
１０３ａ...バルブ軸
１０４...切換操作ハンドル
１０５...ハンドル継手
１０５ａ...ボス部
１０５ｃ...突部
１０５ｂ...スプライン
１０５ｄ...軸穴
１０６...ハンドル本体部
１０６ａ...貫通穴
１０６ｂ...スプライン
１０６ｃ...ガイド穴
１０７...ハンドル支持部
１０７ａ...貫通穴
１０８...アーチ部
１０９...温度調節ハンドル
１０９ａ...ボス部
１０９ｂ...軸穴
１２０...水栓装置
１２１ａ...カラン
１２４...切換操作ハンドル
１３０...ストッパ機構
１３０ａ...切欠き
１３０ｂ...係止突起
１４０...クリック機構
１４１...収納溝
１４２...スプリング
１４３...ボール
１４４...凹所
２００...水栓装置
２０３...切換バルブ
２０３ａ...バルブ軸
２０４...切換操作ハンドル
２０６...ハンドル本体部
２０６ａ...ネジ穴
２０６ｂ...ネジ
２０６ｃ...ネジ穴
２０６ｄ...ネジ
２０６ｅ...キャップ
２０７...ハンドル支持部
２０８...アーチ部
２０８ａ...ネジ穴
２０９...温度調節ハンドル
２１０...水栓装置
２１３...切換バルブ
２１３ａ...バルブ軸
２１４...切換操作ハンドル
２１６...ハンドル本体部
２１６ａ...ガイド穴
２１６ｂ...ネジ穴
２１６ｃ...ネジ
２１７...ハンドル支持部
２１８...アーチ部
２１８ａ...ガイドピン
２１８ｂ...抜止溝
２１９...温度調節ハンドル
２２０...水栓装置
２２１...水栓本体
２２３...切換バルブ
２２４...切換操作ハンドル
２２６...ハンドル本体部
２２７...ハンドル支持部
２２８...アーチ部
２２８ａ...アーチ下部
２２８ｂ...アーチ上部
２２８ｃ，２２８ｄ...段部
２３０...水栓装置
２３１...水栓本体
２３４...切換操作ハンドル
２３６...ハンドル本体部
２３７...ハンドル支持部
２３８...アーチ部
２３８ａ...アーチ本体
２３８ｂ...接続端部
２３８ｃ...ネジ
２３８ｄ...ネジ
２３８ｃ，２３８ｄ...ネジ
２３８ｅ，２３８ｆ...キャップ
２４０...水栓装置
２４６...ハンドル本体部
２４８...アーチ部
２５０...水栓装置
２５１...水栓本体
２５３...切換バルブ
２５３ａ...バルブ軸
２５４...切換操作ハンドル
２５６...ハンドル本体部
２５７...ハンドル支持部
２５７ａ...支持本体
２５７ｂ...支持連結部
２５８...アーチ部
２５８ａ...自由端
２５８ｂ...ネジ
２５９...温度調節ハンドル
２６４...切換操作ハンドル
２６６...ハンドル本体部
２６７...ハンドル支持部
２６７ａ...環状支持部
２６７ｂ...連結段部
２６８...アーチ部
２６８ａ...自由端
２６８ｂ...連結段部
２６８ｃ...ネジ
２７０...水栓装置
２７４...切換操作ハンドル
２７６...ハンドル本体部
２７７...ハンドル支持部
２７８...アーチ部
２７８ａ...自由端
２７８ｂ...連結ピン
２７８ｃ...ネジ
２８０...水栓装置
２８１...水栓本体
２８１ａ...スパウト
２８１ｂ...ネジ穴
２８２...混合バルブ
２８３...切換バルブ
２８４...切換操作ハンドル
２８６...ハンドル本体部
２８７...ハンドル支持部
２８７ａ...ネジ
２８７ｂ...貫通孔
２８８...アーチ部
２８８ａ...ネジ
２８９...温度調節ハンドル
３００...水栓装置
３０１...水栓本体
３０１ａ...スパウト
３０１ｂ...吐水口
３０３...切換バルブ
３０３ａ...バルブ軸
３０４...切換操作ハンドル
３０８...アーチ部
３１０...水栓装置
３１１ａ...スパウト
３１１ｂ...吐水口
３１４...切換操作ハンドル
３２０...水栓装置
３３０...水栓装置
Ｈｈ...ハンドシャワー
ＳＩ...シンク
Ｂｒ...浴室
Ｂｔ...浴槽
Ｂｆ...洗い場
Ｃｔ...カウンタ
Ｗｌ...壁面
【図１】
0003931410.tif 000002
【図２】
0003931410.tif 000003
【図３】
0003931410.tif 000004
【図４】
0003931410.tif 000005
【図５】
0003931410.tif 000006
【図６】
0003931410.tif 000007
【図７】
0003931410.tif 000008
【図８】
0003931410.tif 000009
【図９】
0003931410.tif 000010
【図１０】
0003931410.tif 000011
【図１１】
0003931410.tif 000012
【図１２】
0003931410.tif 000013
【図１３】
0003931410.tif 000014
【図１４】
0003931410.tif 000015
【図１５】
0003931410.tif 000016
【図１６】
0003931410.tif 000017
【図１７】
0003931410.tif 000018
【図１８】
0003931410.tif 000019
【図１９】
0003931410.tif 000020
【図２０】
0003931410.tif 000021
【図２１】
0003931410.tif 000022
【図２２】
0003931410.tif 000023
【図２３】
0003931410.tif 000024
【図２４】
0003931410.tif 000025
【図２５】
0003931410.tif 000026
【図２６】
0003931410.tif 000027
【図２７】
0003931410.tif 000028
【図２８】
0003931410.tif 000029
【図２９】
0003931410.tif 000030
【図３０】
0003931410.tif 000031
【図３１】
0003931410.tif 000032
【図３２】
0003931410.tif 000033
【図３３】
0003931410.tif 000034
【図３４】
0003931410.tif 000035
【図３５】
0003931410.tif 000036
【図３６】
0003931410.tif 000037
【図３７】
0003931410.tif 000038
【図３８】
0003931410.tif 000039
【図３９】
0003931410.tif 000040
【図４０】
0003931410.tif 000041
【図４１】
0003931410.tif 000042
【図４２】
0003931410.tif 000043
【図４３】
0003931410.tif 000044
【図４４】
0003931410.tif 000045
【図４５】
0003931410.tif 000046
【図４６】
0003931410.tif 000047
【図４７】
0003931410.tif 000048
【図４８】
0003931410.tif 000049
【図４９】
0003931410.tif 000050
【図５０】
0003931410.tif 000051